(57)【特許請求の範囲】
【請求項１】
詰綿を、表裏側地と表裏側地の周縁間に設けた襠布とよりなる袋状側地で被ってなる弾褥体であって、前記表裏側地は吸湿面を弾褥体外側に位置させ湿気発散面を詰綿に接しており、襠布は吸湿面を詰綿に接し湿気発散面を弾褥体外側に位置させてなり、弾褥体外部の湿気を表裏側地を介して取り込み詰綿に吸収し、詰綿が吸収している湿気を襠布を介して弾褥体外部に発散することを特徴とする弾褥体。
【発明の詳細な説明】
【０００１】
【発明の属する技術分野】
本発明は吸放湿性を有する布団，マットレス，枕，クッション材等の弾褥体に関する。
【０００２】
【従来の技術】
一般に、例えば就寝中には体温を調節するための発汗作用があり、特定の多汗部位はあるがほぼ全身に発汗する。その為使用した布団内特に詰綿には汗による湿気が吸収蓄積されることになる。布団内の温度は就寝初期には体温で暖められ上昇し、その後平衝状態となる。然し就寝中に発散する汗による湿気によって特に敷き布団側では湿度が増大し高湿となりがちである。
【０００３】
然し、布団自体の自助作用によって湿気を放出することはなかった。そのため、日中布団を天日に干して乾燥させることは常に行われていた。
この現象は上記布団に限らず、マットレス，枕，座布団，クッション材等の弾褥体においても多かれ少なかれ発生していた。
【０００４】
【発明が解決しようとする課題】
本発明は上記の点に鑑みて、使用され湿気を吸った弾褥体が、天日に干す或いは布団乾燥機により乾燥する等の手段を講ずることなく、弾褥体自体の有する湿気放出機能に基づいて湿気を放出し、低湿度状態を保つことの出来る弾褥体を得ることを目的としている。
【０００５】
【課題を解決するための手段】
本発明は詰綿を、表裏側地と表裏側地の周縁間に設けた襠布とよりなる袋状側地で被ってなる弾褥体であって、前記表裏側地は吸湿面を弾褥体外側に位置させ湿気発散面を詰綿に接しており、襠布は吸湿面を詰綿に接し湿気発散面を弾褥体外側に位置させてなり、弾褥体外部の湿気を表裏側地を介して取り込み詰綿に吸収し、詰綿が吸収している湿気を襠布を介して弾褥体外部に発散することを特徴としている。
【０００６】
【発明の実施の形態】
本発明弾褥体の実施の形態の一例を布団１について図面と共に説明する。
布団１は詰綿２を側地３で被ってなり、側地３は、表側地３ａ，裏側地３ｂの周縁を、帯状に細長い襠布３ｃによって綴じた袋状をなしている。
【０００７】
表側地３ａの就寝者に接する面は、就寝時人体から放出される湿気を吸収し易く、その反対面即ち布地の詰綿２に対する面は前記吸収した湿気を詰綿２側に放出し易くするために、表側地３ａの就寝者と接する外面は繊維の密度を粗く毛細血管現象で湿気を早く吸収出来る湿気吸収面４とし、詰綿２と接する内面は繊維を高密度に配置した湿気放散面５とした多層構造を採用している。
布団１は使用時に適宜表裏を反転して使用するため、表側地３ａと裏側地３ｂとは同一構成の布地を使用している。即ち、表側地裏側地のいずれも弾褥体外面を湿気吸収面４とし詰綿２に対する面を湿気発散面としている。
【０００８】
具体的には、トリコット編機を用い、湿気吸収面４には経糸を長く浮かせた組織を、湿気発散面５には、湿気を吸収した湿気吸収面４の湿気を受け入れ該湿気を布帛外に放出するメッシュ構造の多層組織を、それぞれ採用している。使用する糸としては、ポリエステル，ポリアミド，綿等の合成或いは天然繊維或いはその組み会わせが望ましい。上記湿気発散面５のメッシュ構造は、その空隙の存在による毛細管現象で移動した湿分をメッシュ部分で保持し、かつ、放湿も容易に行われる。
【０００９】
湿気吸収面４を構成する布帛表面は、湿気吸収効果を高めるために、起毛等により布帛を高めることを行なっても良い。
【００１０】
襠布３ｃは帯状体をなし表側地３ａと裏側地３ｂの周縁を、所定間隔を置いて縫着してなるもので、その組織は表裏側地３ａ，３ｂと同じで湿気吸収面４と湿気発散面５を構成する組織よりなる多層構造であるが、襠布３ｃにあっては布団１の外面に湿気発散面５が位置し、布団１の内面に湿気吸収面４が位置するように配する。そして、表裏側地３ａ，３ｂ及び襠布３ｃにより袋体に構成された側地内には、詰わた２が封入され、表裏側地３ａ，３ｂと襠布３ｃは詰わた２と密接している。
上記図示した布団は、表裏側地３ａ，３ｂ共に布団外部に向いた全面が湿気吸収面４を構成し、襠布３ｃが外部に向いた全面が湿気発散面５を構成しているが、表裏側地３ａ，３ｂの就寝者が接する面及びその周囲のみを湿気吸収面４とし、表裏側地３ａ，３ｂの他の部位を湿気発散面とする事も出来る。
【００１１】
次に本発明弾褥体の例としての布団１の作用につき説明する。
就寝者は就寝中発汗することで布団１に対し水分を発散する。この水分は、表側地３ａの湿気吸収面４に触れ表側地３ａに取り込まれる。表側地３ａに取り込まれた湿気は湿気発散面５にまで浸透し同面５のメッシュ構造部分から多く発散され湿気が詰綿２に移る。即ち詰綿２が吸湿することになる。
【００１２】
就寝者の発汗によって詰綿２が吸湿状態となるのは一般の寝具と同様であるが、本発明布団１に於いて表裏側地３ａ，３ｂの端縁間に設けられた襠布３ｃは、湿気吸収面４が表裏側地３ａ，３ｂとは逆に布団内側の詰綿と接するように、且、湿気発散面５が布団の外側にそれぞれ面するように設けられているために、前記詰綿２に発汗による湿気が吸収されると詰綿２と接している襠布３ｃの湿気吸収面４が詰綿２の湿気を捕え襠布３ｃに取り込むことになり、襠布３に取り込まれた湿気は湿気発散面５にまで浸透し同面５のメッシュ構造部分から襠布３の外部即ち布団１の外部に放出される。
上記作用は、表裏側地３ａ，３ｂの就寝者と接する部位以外の部位に、布団１の外面に向けて湿気発散面５が位置し内面に向けて湿気吸収面４が位置するように側地３ａ，３ｂを配したときも同様である。
【００１３】
これによって、就寝者の発汗による湿気は表側地３ａの湿気吸収面４，同湿気発散面５，詰綿２，襠布３ｃの湿気吸収面４，同湿気発散面５の移動経路が構成され、常にこの経路によって布団に吸収された発汗等に基づく湿気は布団外に発散され詰綿の湿気の上昇を防いでいる。
上記は布団についての説明であるが、布団に限らず、マットレス，枕，クッション材等においても同様である。
【００１４】
【発明の効果】
本発明布団は、詰綿を、表裏側地と表裏側地の周縁間に設けた襠布とよりなる袋状側地で被ってなる弾褥体であって、前記表裏側地は吸湿面を弾褥体外側に位置させ湿気発散面を詰綿に接しており、襠布は吸湿面を詰綿に接し湿気発散面を弾褥体外側に位置させてなり、弾褥体外部の湿気を表裏側地を介して取り込み詰綿に吸収し、詰綿が吸収している湿気を襠布を介して弾褥体外部に発散するために、就寝中に発汗等により生ずる湿気が、表側地の湿気吸収面から取り込まれ、表側地３ａの湿気吸収面４，同湿気発散面５，詰綿２，襠布３ｃの湿気吸収面４，同湿気発散面５の移動経路が構成されて流れることになり常に布団内に滞溜する湿気が布団外に排出される作用を受けることになり詰綿の過湿状態を阻止し湿気の少ない状態で使用をすることが出来る。
【図面の簡単な説明】
【図１】  Ａは本発明布団の斜視図、Ｂは側地の一部断面図。
【符号の説明】
１  布団
２  詰綿
３  側地
３ａ  表側地
３ｂ  裏側地
３ｃ  襠布
４  湿気吸収面
５  湿気発散面
【図１】
0003820501.tif 000002